(57)【要約】 【課題】簡易な構成で、遊技時においては遊技媒体を円滑に投入することができるとともに、遊技媒体の投入に関する不正行為を防止し、あるいは未然に抑制し、ひいては不正行為の痕跡を残すことができる遊技機を提供する。【解決手段】遊技媒体投入口２５から遊技媒体検出センサ５６までの遊技媒体通路５７の任意の場所に設けられ遊技媒体投入口２５に投入された遊技媒体４７が当接することにより遊技媒体４７を遊技媒体検出センサ５６に案内する案内部材６３、８０、を備えた遊技機であって、案内部材６３は、遊技媒体通路５７に挿入された不正部材Ｆが引き抜かれるときに、遊技媒体通路５７の隙間を狭くする。【選択図】      図１２
2012170653.tif 000002
【特許請求の範囲】
【請求項１】
遊技媒体投入口から遊技媒体検出センサまでの遊技媒体通路の任意の場所に設けられ前記遊技媒体投入口に投入された遊技媒体が当接することにより前記遊技媒体を前記遊技媒体検出センサに案内する案内部材、を備えた遊技機であって、
前記案内部材は、前記遊技媒体通路に挿入された不正部材が引き抜かれるときに、前記遊技媒体通路の隙間を狭くすることを特徴とする遊技機。
【請求項２】
前記案内部材は、
順方向に回転することにより前記遊技媒体投入口に投入された前記遊技媒体を前記遊技媒体検出センサに案内する回転ローラと、
前記遊技媒体通路に挿入された前記不正部材が引き抜かれるときに逆方向に回転する前記回転ローラによって押し出されて前記遊技媒体通路側に進入し、前記不正部材の引き抜きを阻止する干渉部材と、
を有することを特徴とする請求項１に記載の遊技機。
【請求項３】
前記案内部材は、
順方向に回転することにより前記遊技媒体投入口に投入された前記遊技媒体を前記遊技媒体検出センサに案内する回転ローラと、
前記回転ローラと前記遊技媒体通路との隙間を調整するための位置調整手段と、
を有し、
前記位置調整手段は、
前記遊技媒体投入口に投入された前記遊技媒体から前記回転ローラに対して押圧力が作用したときに、前記回転ローラと前記遊技媒体通路との隙間を広げる方向への前記回転ローラの移動を許容し、
前記遊技媒体通路に挿入された前記不正部材が引き抜かれるときに、前記回転ローラの位置を固定して、前記回転ローラと前記遊技媒体通路との隙間を狭くすることを特徴とする請求項１に記載の遊技機。
【請求項４】
前記回転ローラは、回転軸の軸回りに回転し、
前記位置調整手段は、前記回転軸が挿通される挿通孔部であり、
前記挿通孔部は、前記回転ローラが前記回転ローラと前記遊技媒体通路との隙間を広げる方向に移動するときに前記回転軸が進入するガイド孔と、前記ガイド孔に連続して形成され前記遊技媒体通路に挿入された前記不正部材が引き抜かれるときに前記回転軸が進入して当該回転軸が位置決めされる位置決め孔と、で構成されていることを特徴とする請求項３に記載の遊技機。
【請求項５】
前記案内部材は、
回転軸に装着され前記回転軸の軸回りに回転する回転中心部と、
前記回転中心部に設けられた第１片部と、
前記回転中心部に設けられた第２片部と、
を有し、
前記第２片部の質量は、前記第１片部の質量よりも大きく設定され、
前記遊技媒体投入口に投入された前記遊技媒体から前記第１片部に対して押圧力が作用したときに、前記案内部材が前記回転軸の軸回りに順方向に回転して前記第１片部が前記遊技媒体通路から退避し、
前記遊技媒体通路に挿入された前記不正部材が引き抜かれるときに、前記案内部材が前記回転軸の軸回りに逆方向に回転して前記第１片部が前記遊技媒体通路側に進入し、前記不正部材の引き抜きを阻止することを特徴とする請求項１に記載の遊技機。
【発明の詳細な説明】
【技術分野】
【０００１】
本発明は、例えば、メダルやコインのような遊技媒体を利用して遊技を行う遊技機に関する。
【背景技術】
【０００２】
スロットマシン、ルーレットゲーム装置、プッシャーゲーム装置等の遊技機では、メダルやコインといった遊技媒体（以下、適宜「メダル」と称する）を投入することで遊技が開始される。
【０００３】
この種の遊技機において、メダルの投入操作を円滑にするため、メダル投入口の喉部に回転ローラを設け、その順方向の回転力によりメダルを姿勢変化させながら投入口に案内する構造としたメダル案内装置が知られている（下記特許文献１）。    
【０００４】
このメダル案内装置は、回転ローラの順方向の回転つまりメダル送り込み方向の回転だけを許容し、回転ローラの逆方向の回転についてはこれを阻止する構造となっている。これは投入口から異物を進入させて、その内部に配設された判別装置（セレクタ装置）に対して不正な行為が行われるのを防止するためである。
【０００５】
代表的な不正行為は、図１９に示すように、不正行為者が遊技機のメダル投入口から俗に「クレマン君」と称される不正器具Ｆをメダルセレクタ９００へ挿入し、その先端に設けた発光素子Ｆｌ、Ｆｌを順に発光させることにより、メダルの通過を擬似的に再現して２つのフォトセンサからなるメダル検出センサ９０１、９０２を誤作動させ、クレジットを短時間で大幅に増加させるものである。
【０００６】
回転ローラが順方向のみ回転可能で逆方向には回転しない構造であれば、上記不正器具Ｆの如き異物を投入口から進入させて判別装置を作動させたとしても、その異物を引き抜くことが不可能となるため、上記異物による不正行為を効果的に防止することが可能となる。
【先行技術文献】
【特許文献】
【０００７】
【特許文献１】特開２００７−０８２６９８号公報
【発明の概要】
【発明が解決しようとする課題】
【０００８】
しかしながら、上記した遊技機では、回転ローラの逆方向の回転を阻止する構造だけでは上記のような異物の進入による不正行為を防止できない場合がある。すなわち、差し込まれる異物は通常長い板状の不正器具であるため、この板状の不正器具に潤滑剤等を付着させておくと、たとえ回転ローラが回転阻止状態であっても回転ローラに対する摩擦力が小さくなるため、板状の不正器具をすべらせて引き抜くことが可能となる。このため、容易に不正行為ができてしまう。しかも、痕跡が残らない可能性があり、不正行為を発見する時期が遅れるという問題がある。
【０００９】
また、上記した遊技機では、回転ローラの逆回転を規制するための回転方向規制手段が必要となり、装置の大型化及び複雑化を招き、製造コストが増加するという問題もある。
【００１０】
そこで、本発明は、上記問題点に鑑み、簡易な構成で、遊技時においては遊技媒体を円滑に投入することができるとともに、遊技媒体の投入に関する不正行為を防止し、あるいは未然に抑制し、ひいては不正行為の痕跡を残すことができる遊技機を提供することを目的とする。
【課題を解決するための手段】
【００１１】
本発明は、遊技媒体投入口から遊技媒体検出センサまでの遊技媒体通路の任意の場所に設けられ前記遊技媒体投入口に投入された遊技媒体が当接することにより前記遊技媒体を前記遊技媒体検出センサに案内する案内部材、を備えた遊技機であって、前記案内部材は、前記遊技媒体通路に挿入された不正部材が引き抜かれるときに、前記遊技媒体通路の隙間を狭くすることを特徴とする。
【００１２】
この場合、前記案内部材は、順方向に回転することにより前記遊技媒体投入口に投入された前記遊技媒体を前記遊技媒体検出センサに案内する回転ローラと、前記遊技媒体通路に挿入された前記不正部材が引き抜かれるときに逆方向に回転する前記回転ローラによって押し出されて前記遊技媒体通路側に進入し、前記不正部材の引き抜きを阻止する干渉部材と、を有することが好ましい。
【００１３】
この場合、前記案内部材は、順方向に回転することにより前記遊技媒体投入口に投入された前記遊技媒体を前記遊技媒体検出センサに案内する回転ローラと、前記回転ローラと前記遊技媒体通路との隙間を調整するための位置調整手段と、を有し、前記位置調整手段は、前記遊技媒体投入口に投入された前記遊技媒体から前記回転ローラに対して押圧力が作用したときに、前記回転ローラと前記遊技媒体通路との隙間を広げる方向への前記回転ローラの移動を許容し、前記遊技媒体通路に挿入された前記不正部材が引き抜かれるときに、前記回転ローラの位置を固定して、前記回転ローラと前記遊技媒体通路との隙間を狭くすることが好ましい。
【００１４】
この場合、前記回転ローラは、回転軸の軸回りに回転し、前記位置調整手段は、前記回転軸が挿通される挿通孔部であり、前記挿通孔部は、前記回転ローラが前記回転ローラと前記遊技媒体通路との隙間を広げる方向に移動するときに前記回転軸が進入するガイド孔と、前記ガイド孔に連続して形成され前記遊技媒体通路に挿入された前記不正部材が引き抜かれるときに前記回転軸が進入して当該回転軸が位置決めされる位置決め孔と、で構成されていることが好ましい。
【００１５】
この場合、前記案内部材は、回転軸に装着され前記回転軸の軸回りに回転する回転中心部と、前記回転中心部に設けられた第１片部と、前記回転中心部に設けられた第２片部と、を有し、前記第２片部の質量は、前記第１片部の質量よりも大きく設定され、前記遊技媒体投入口に投入された前記遊技媒体から前記第１片部に対して押圧力が作用したときに、前記案内部材が前記回転軸の軸回りに順方向に回転して前記第１片部が前記遊技媒体通路から退避し、前記遊技媒体通路に挿入された前記不正部材が引き抜かれるときに、前記案内部材が前記回転軸の軸回りに逆方向に回転して前記第１片部が前記遊技媒体通路側に進入し、前記不正部材の引き抜きを阻止することが好ましい。
【発明の効果】
【００１６】
本発明によれば、簡易な構成で、遊技時においては遊技媒体を円滑に投入することができるとともに、遊技媒体の投入に関する不正行為を防止し、あるいは未然に抑制し、ひいては不正行為の痕跡を残すことができる。
【図面の簡単な説明】
【００１７】
【図１】本発明の各実施形態に係る遊技機の外観を示す正面側の斜視図である。
【図２】本発明の各実施形態に係る遊技機の筐体内部の概略的な構成を示す図である。
【図３】本発明の各実施形態に係る遊技機の前面扉の背面側の概略的な構成を示す図である。
【図４】本発明の各実施形態に係る遊技機のメダルセレクタを示す図である。
【図５】本発明の各実施形態に係る遊技機のメダル通路とこれに設けられた回転ローラとの位置関係を示した図である。
【図６】本発明の第１実施形態に係る遊技機の案内部材の初期状態（メダルが投入されておらず及び不正部材が挿入されていない状態）を示した説明図である。
【図７】本発明の第１実施形態に係る遊技機のメダル通路に不正部材が挿入されているときの状態を示した説明図である。
【図８】本発明の第１実施形態に係る遊技機のメダル通路に挿入された不正部材が引き抜かれるときの状態を示した説明図である。
【図９】本発明の第２実施形態に係る遊技機の案内部材を示す斜視図である。
【図１０】本発明の第２実施形態に係る遊技機の初期状態（メダルが投入されておらず及び不正部材が挿入されていない状態）を示した説明図である。
【図１１】本発明の第２実施形態に係る遊技機のメダル通路に不正部材が挿入されているときの状態を示した説明図である。
【図１２】本発明の第２実施形態に係る遊技機のメダル通路に挿入された不正部材が引き抜かれるときの状態を示した説明図である。
【図１３】本発明の第３実施形態に係る遊技機の案内部材を示す概念図である。
【図１４】本発明の第３実施形態に係る遊技機の初期状態（メダルが投入されておらず及び不正部材が挿入されていない状態）を示した説明図である。
【図１５】本発明の第３実施形態に係る遊技機のメダル通路に不正部材が挿入されているときの状態を示した説明図である。
【図１６】本発明の第３実施形態に係る遊技機のメダル通路に挿入された不正部材が引き抜かれるときの状態を示した説明図である。
【図１７】本発明の第１実施形態に係る遊技機の案内部材と組み合わされる回転方向検出センサの構成と回転ローラの回転方向を検出する原理の説明に供する図である。
【図１８】本発明の第１実施形態に係る遊技機の回転ローラの回転方向が逆方向の場合に異常を報知するフローチャートを示した図である。
【図１９】従来技術となる遊技機のメダルセレクタの構成及び課題を説明するための図である。
【発明を実施するための形態】
【００１８】
［第１実施形態］
本発明の第１実施形態に係る遊技機について、図面を参照して説明する。本実施形態は、本発明をスロットマシン（回胴式遊技機）に適用した一例である。
【００１９】
図１及び図２に示すように、本実施形態における回胴式遊技機は、前面側が開放された矩形状の筐体１と、その筐体１の前面側を覆う矩形状の前扉２と、を備えている。
【００２０】
筐体１は、木製であり、左側板３および右側板４の上端同士および下端同士を上板５及び底板６で連結し、裏面側を背板７で覆うことにより、前側が開放された箱形に形成されている。
【００２１】
図２に示すように、筐体１内には、左右の側板３、４の間に金属製の中間棚８を渡してあり、この中間棚８上に横並びに３個の回胴９を並置した構造の回胴装置ユニット１０が、着脱可能に取り付けてある。
【００２２】
各回胴９は、その外周に複数種類の図柄が表示された図柄配列帯を有しており、各回胴９の停止時の上記図柄の組み合せによって遊技結果を表示する。この各回胴９は、それぞれ図示してないパルスモータにより回転駆動され、上記図柄が変動表示可能となっている。
【００２３】
また、筐体１の底板６には、投入されたメダルを貯留すると共に、メダル受け皿３５（図１参照）にメダルを払い出し可能なメダル払出装置１１が取り付けられている。このメダル払出装置１１は、払い出し用のメダルを貯留するメダルホッパー１２、このメダルホッパー１２内のメダルを払い出すメダル払出装置本体１３、メダルホッパー１２から溢れたメダルをメダル補助収納庫１４側に排出する余剰メダル排出口１５等を備え、底板６上に着脱自在に装着されている。
【００２４】
さらに、筐体１内には、電源基板が格納された電源基板ケース１６、遊技に関する制御を司る主制御基板２１を収容した主制御基板ケース１７、出玉率に変化をもたらす回胴設定基板（操作基板）１８、メダル払出装置１１を駆動制御するメダル払出制御基板（図示はしていない）等が配設されている。
【００２５】
図１に示すように、前扉２には、遊技機のほぼ中央部に回胴視認部１９を、またその上方に液晶画面視認部２０を設けてある。
【００２６】
回胴視認部１９内には、上記した回胴装置ユニット１０の３個の回胴９が位置しており、遊技者側から視認し得るようになっている。また図面には示してないが、回胴視認部１９には、ここを横および斜めに横断する形で計５本の入賞ラインが施されている。これらの入賞ラインは、単位遊技（１ゲーム）に対するメダルの投入枚数（賭け数）に応じてそれぞれ有効になる。この有効となった入賞ライン上で、３つの回胴９が停止した際の停止図柄の組み合わせが、当選した入賞役と一致した場合に入賞が確定し、上記停止図柄の組み合わせに応じた遊技価値が遊技者に付与される。
【００２７】
また、液晶画面視認部２０内には液晶表示装置２２（ＬＣＤユニット２２）が位置しており、遊技者はこの液晶画面視認部２０を介して液晶表示装置２２の表示画面２３を前側から視認可能となっている。この液晶表示装置２２の表示画面２３には、遊技に伴う演出が画像表示されると共に、過去の遊技の履歴、クレジット数、メダルの投入枚数、入賞による払い出し枚数等の遊技情報も表示される。
【００２８】
回胴視認部１９の左右側には、ＬＥＤを内蔵し、光の装飾により遊技に伴う演出を現出する装飾ランプ部２４が設けられている。
【００２９】
また、液晶画面視認部２０の下方の段部には、遊技に供する遊技媒体としてのメダルを投入するためのメダル投入口２５を有するメダル投入装置３８と、貯留装置（遊技機に投入されたメダル、または入賞によって獲得したメダルを貯留して、その貯留数を電磁的方法よって記憶可能とする機能を備えた装置）に貯留された範囲、すなわちクレジットされた範囲内で、メダルを最大枚数賭けで一度に擬似投入し得るＭＡＸＢＥＴボタン２７と、押した回数に応じて最大賭け枚数まで加算的に擬似投入し得る貯留メダル投入ボタン２８と、クレジットされたメダルの精算を行う貯留メダル精算ボタン２９と、が設けられている。
【００３０】
さらにまた、回胴視認部１９の下側に横長状に設けられた操作パネル部３０には、メダル投入口２５内に詰まったメダルを返却させるための返却ボタン２６、回胴９の回転を一斉に開始させるための回胴回転始動レバー３１、および各回胴９の回転を個別に停止させるための３個の回胴回転停止ボタン３２等が設けられている。また操作パネル部３０の右側には、鍵穴３３が設けられている。この鍵穴３３は前扉２を解錠するためのものであり、この穴に所定の鍵を差し込んで回すと、前扉２の錠装置における施錠機構のロックが解除される。
【００３１】
また、操作パネル部３０の下方には、遊技機をアピールするための装飾が施された装飾パネル部３４が設けられている。装飾パネル部３４の下方には、前扉２と一体的に装着された横長状のメダル受け皿３５が設けられ、このメダル受け皿３５には、上記メダル払出装置１１から払い出されたメダルや返却されたメダルを前側に排出するためのメダル払出口３６が開口している。また、前扉２の前面上部両側および前面下部両側には、遊技に伴う演出効果音を外部に出力する音響出力部としてのスピーカ３７が設けられている。
【００３２】
次に、前扉２の背面側の構成について説明する。図３に示すように、前扉２の背面側の上部には、スピーカ３７や装飾ランプ部２４（図１参照）などの演出手段を制御する演出制御基板３９、液晶表示装置２２を駆動制御する液晶制御基板４０などの基板が防護用ケースＫに収納されて取り付けられている。
【００３３】
回胴視認部１９の下方には、回胴回転停止ボタン３２が操作された旨を検出したり、回胴回転停止ボタン３２の内部のＬＥＤ（図示せず）を発光させたりする回胴停止スイッチ基板４１が配置されている。
【００３４】
回胴停止スイッチ基板４１の下方には、貯留メダル精算ボタン２９、貯留メダル投入ボタン２８、ＭＡＸＢＥＴボタン２７、回胴回転始動レバー３１、回胴回転停止ボタン３２などの各種遊技部品が操作されたときに生成される検出情報を主制御基板２１に送信するための遊技中継基板４２が配置されている。
【００３５】
そして、前扉２の裏面側のメダル投入装置３８に対応する位置には、メダル投入口２５に投入されたメダルが正規か否かを選別して、正規のメダルをメダルホッパー１２に導くメダルセレクタ４３が配設されている。
【００３６】
メダルセレクタ４３によって選別されたメダルが正規のメダルである場合にはスロープ（メダル誘導路）４８を通ってメダルホッパー１２に誘導され、それ以外のメダルである場合にはキャンセルシュータ５４からメダル払出通路４５を通ってメダル払出口３６に誘導されるようになっている。また、メダル払出通路４５は、メダルホッパー１２から払い出されたメダルをメダル受け皿３５に誘導する機能も有している。
【００３７】
図４は、このメダルセレクタ４３の一構成例を示す。前扉２の内部フレームに装着されたブラケット４６には、メダルセレクタ４３によって選別された正規のメダル４７を、メダルホッパー１２に案内する案内路４８ａを具備したスロープ４８が一体形成されている。
【００３８】
また、メダルセレクタ４３の矩形状のベース４９の上面部には、側部がサブプレート５０によって覆われ、メダル投入口２５から落下するメダルを受け入れるメダル入口５１が設けられている。このメダル入口５１から入り込むメダルは、ベース４９に形成されたメダルレール５２に沿って案内されるようになっている。このメダルレール５２の中間位置には、正規の大きさのメダルのみをガイドするセレクトプレート５３が配置されている。
【００３９】
これらのセレクトプレート５３は、投入されたメダルが規格寸法よりも小さいと、そのメダルをセレクトプレート５３で案内することなく、メダルセレクタ４３の直下に位置するキャンセルシュータ５４（上記した前扉２の正面下部のメダル払出し口３６に接続されている）に落下させる機能を有する。また、投入されたメダルが適正なものである場合、そのメダルは、セレクトプレート５３に沿って案内され、メダルレール５２の下流側に案内され、下端の出口５５からスロープ４８へと抜け出る（図５のメダルＭ４）。
【００４０】
上記メダルレール５２の下流側には、メダルが流れる方向に沿って２つのフォトセンサ（ダブル反射型フォトセンサ）からなるメダル検出センサ５６が配設されており、メダルがこれらのメダル検出センサ５６を通過すると、所定時間、タイミングをずらした検知信号を、遊技中継基板４２を介してスロットマシンの本体側の主制御基板２１に出力する。このように２つのメダル検出センサ５６を配置することで、メダルセレクタ４３を通過するメダルの適正な数がカウントできると共に、メダルの詰まりや不正操作等の異常動作を確実に検出することが可能となる。そして、この２つのメダル検出センサ５６を通過したメダルは、ブラケット４６に設けられたスロープ４８を介してスロットマシンの本体側に設置されたメダルホッパー１２に案内される。
【００４１】
上記したように、セレクトプレート５３は、通常、ソレノイドによって、メダルガイド位置に位置付けされているが、所定の条件の場合（例えば、規定枚数のメダルが既に投入されている場合、エラー発生中の場合、遊技が開始されている場合等）、セレクトプレート５３は、メダル排出位置に位置付けされ、メダル投入口２５から投入されるメダルを強制的にキャンセルシュータ５４に排出する。
【００４２】
上記したように、メダルセレクタ４３は、メダル投入口２５から投入され遊技機に使用されるメダルが正規か否かを選別し、正規のメダル４７をメダルホッパー１２への移送路に導く機能を備えている。
【００４３】
図５は、メダル投入装置３８のメダル投入口２５から上記メダルセレクタ４３の出口５５にかけて形成されるメダル通路５７を概略的に示したものである。
【００４４】
このメダル通路５７は、メダル投入装置３８のメダル投入口２５の下方にメダル投入口に沿って連続するように形成したメダル投入部５８と、このメダル投入部５８に連通されてメダルセレクタ４３のメダル進行方向の上流端に位置し、メダルの厚さ程度のメダル投入口２５から投入されたメダルＭ０を、そのままの状態（メダルの進入方向に対して平行な状態）で案内するメダル受入部５９と、このメダル受入部５９に続く湾曲通路６０および斜行通路６１と、メダルの進行方向の下流端に位置し、メダルホッパー１２（図２）に連絡されたメダル排出部６２と、メダル受入部５９とメダル排出部６２との間に位置し、非正規メダルＭ３をキャンセルシュータ５４に落下させてメダル払出口３６へ戻すメダル返却部７４と、により構成されている。
【００４５】
上記メダル通路５７の湾曲通路６０と斜行通路６１は、メダル投入口２５から投入されたメダルＭ１が通過する際に、メダル自体の自重によりメダル通路５７の上流側（図５の上方）から下流側（図５の下方）に向かってメダルが進行可能となる形状に形成されている。この湾曲通路６０を通過させることでメダルＭ１の進行速度を減速させる。
【００４６】
上記のメダル通路５７には、そのメダル投入口２５からメダルセレクタ４３内の出口５５近傍に位置するメダル検出センサ５６までの適所に、メダルに接触してメダルを下流側に案内する回転ローラ６３が、その回転軸６４を中心として自在に回転するように設けられる。
【００４７】
なお、回転ローラ６３は、上記メダル通路５７内の任意の場所に設けることができる。たとえば図５に示唆するように、メダル投入装置３８のメダル投入部５８に設ける形態とすることができ、あるいはメダルセレクタ４３の斜行通路６１に設ける形態とすることができる。さらには、複数の箇所の各々に、回転ローラ６３を備えた構成にしてもよい。
【００４８】
上記のいずれの場所に設ける場合も、回転ローラ６３は、回転自在に支持される。また、回転ローラ６３は、その外周面がメダル通路５７側に若干量だけ露出するように設けられる。若干量というのは、メダル受入部５９に流下して来る投入メダルＭ１を回転ローラ６３の表面に接触させて回転ローラ６３を回転させることができ、メダルＭ１の姿勢を正して、これにより複数枚のメダルの連続投下を可能とする一方で、メダルＭ１の自重による円滑な自然流下を阻害しない回転ローラ外周面の突入量である。
【００４９】
このように、回転ローラ６３が配設されている結果、メダル４７は、メダル投入口２５からメダル投入部５８の若干下り傾斜した案内面５８ａに沿って滑り落ちて行き、回転ローラ６３に向かう。そして、メダル４７がメダル受入部５９の付近まで滑り落ちると、メダル４７の表面が下端部から回転ローラ６３に当接し、回転ローラ６３が図６に矢印Ａで示す順方向に回転する。回転ローラ６３の回転作用（下向きの回転作用）によって、メダル４７は、姿勢変化をメダル通路５７に沿った方向に受けながら自重で更に下方に向けて案内される。この姿勢修正作用に基づき、回転ローラ６３が設置されると、多数枚のメダル４７の連続的かつ円滑な投入が可能となる。
【００５０】
ここで、回転ローラ６３の詳細な構成について説明する。なお、以下の説明では、回転ローラ６３は、メダル投入装置３８のメダル投入部５８近傍に設ける形態を例に挙げる。
【００５１】
図６に示すように、回転ローラ６３は、回転軸６４と、回転軸６４に取り付けられたローラ本体７５と、を備えている。また、回転ローラ６３の近傍には、干渉部材８０が配置されている。ローラ本体７５の外周面には、径が大きい大径部７６と、径が小さい小径部７７と、が設けられている。そして、大径部７６と小径部７７とは連続的に形成されており、両者の接続部には段部７８が形成されている。
【００５２】
干渉部材８０は、回転ローラ６３が順方向（図６中矢印Ａ方向）に回転するときには、段部７８が接触せず、段部７８によってメダル通路５７側に押し出されない。また、干渉部材８０は、回転ローラ６３が逆方向（図６中矢印Ｂ方向）に回転するときには、段部７８が接触し、段部７８によってメダル通路５７側に押し出される。これにより、干渉部材８０は、メダル通路５７側に進入して、メダル通路５７に挿入された不正器具Ｆに対して接触する。
【００５３】
一方、遊技開始時のように、回転ローラ６３が順方向（図６中矢印Ａ方向）に回転する場合には、干渉部材８０は、移動しない。このため、干渉部材８０がメダル通路５７に進入せず、メダル４７に接触することはない。この結果、干渉部材８０がメダル４７の落下に支障をきたすことがないため、メダル４７は、メダル通路５７を円滑に滑り落ちる。
【００５４】
詳細には、メダル４７は、メダル投入口２５から投入されると、回転ローラ６３に当接する。これにより、回転ローラ６３が図６に矢印で示す順方向に回転する。このように、メダル４７を投入する場合には、メダル４７が回転ローラ６３の外周面に接触することになるが、回転ローラ６３の段部７８が干渉部材８０を押し出さないため、干渉部材８０は、メダル通路５７側に進入しない。このため、回転ローラ６３が順方向に回転するだけであり、メダル４７がメダル通路５７を何ら支障なく通過する。
【００５５】
一方、図７及び図８に示すように、不正行為者によってメダル通路５７内に挿入された不正器具Ｆが引き抜かれるときには、回転ローラ６３は、不正器具Ｆからの回転力を受けて、順方向とは逆方向に回転する（図８中矢印Ｂ方向）。このとき、回転ローラ６３の段部７８が干渉部材８０の端部を押し出し、干渉部材８０がメダル通路５７内に進入する。干渉部材８０がメダル通路５７内に進入すると、干渉部材８０がメダル通路５７の隙間を狭くするとともに、干渉部材８０が不正器具Ｆに接触し、不正器具Ｆを強く押圧する。
【００５６】
また、回転ローラ６３が複数配置されている構成では、全ての回転ローラ６３のローラ本体７５の近傍に干渉部材８０を配置しても良いし、あるいは任意の回転ローラ６３のローラ本体の近傍にのみ干渉部材８０を配置してもよい。
【００５７】
次に、本発明の第１実施形態の遊技機の作用効果について説明する。
【００５８】
（メダル投入時）
メダル４７は、メダル投入口２５から投入されると、メダル４７の表面が回転ローラ６３のローラ本体７５の外周面に当接（接触）する。このとき、メダル４７から回転力を受けて回転する回転ローラ６３の回転作用（順方向（図６中矢印Ａ方向）の回転）によって、メダル４７は、姿勢変化をメダル通路５７に沿った方向に受けながら自重で更に下方に向けて案内される。この姿勢修正作用に基づき、回転ローラ６３が設置されると、多数枚のメダル４７の連続的かつ円滑な投入が可能となる。このようにして、メダルがメダル検出センサ５６（図５参照）で検出されて、遊技が可能になる。
【００５９】
（不正器具の挿入時）
次に、不正行為者が不正器具Ｆをメダル通路５７に挿入して不正行為を行う場合を考える。このような不正行為は、例えば、不正器具Ｆの先端部に取り付けたメダルをメダル検出センサ５６（図５参照）で検出させることにより、不正に遊技を開始させることを目的にして行われる。
【００６０】
なお、不正器具Ｆとは、メダルに治具を取り付けたものや、メダルに糸を取り付けたものが想定される。また、不正器具Ｆは、メダル検出センサ５６（図５参照）を誤作動させるものの他に、メダルセレクタ４３の電子部品や機械部品を不正に操作して遊技を開始させる目的のものも含まれる。
【００６１】
図７に示すように、不正器具Ｆがメダル通路５７に挿入されていくと、回転ローラ６３と接触する。このときも、メダル４７の投入時と同様にして、不正器具Ｆの表面がローラ本体７５の外周面に当接（接触）する。そして、回転ローラ６３が順方向（図７中矢印Ａ方向）に回転するとともに、不正器具Ｆがさらにメダル通路５７を進入して、メダル検出センサ５６（図５参照）の近傍を通過する。これにより、不正器具Ｆの先端部に取り付けられたメダルがメダル検出センサ５６（図５参照）により検出される。この結果、不正に遊技が開始される（不正遊技の開始）。
【００６２】
（不正器具の引き抜き時）
図８に示すように、不正遊技を終了する場合には、不正遊技の痕跡を消すために、不正器具Ｆをメダル通路５７内から引き抜くことが想定される。不正器具Ｆを引き抜くと、不正器具Ｆがメダル通路５７を逆方向に移動していく。このとき、不正器具Ｆが回転ローラ６３のローラ本体７５の外周面に接触していると、不正器具Ｆの引き抜き動作に伴って、不正器具Ｆから回転ローラ６３に回転力（メダル投入時に作用する回転力と逆方向の回転力）が作用する。これにより、回転ローラ６３は、逆方向（図８中矢印Ｂ方向）に回転する。
【００６３】
回転ローラ６３が逆方向（図８中矢印Ｂ方向）に回転すると、回転ローラ６３の段部７８が干渉部材８０の一方の端部８０Ａを押圧して、干渉部材８０がメダル通路５７側に移動する。そして、干渉部材８０の他方の端部８０Ｂがメダル通路５７上に進入する。これにより、不正器具Ｆに干渉部材８０の他方の端部８０Ｂが接触してメダル通路５７の隙間を塞ぐ。具体的には、干渉部材８０の他方の端部８０Ｂが不正器具Ｆと回転ローラ６３とにより挟まれた状態になる。
【００６４】
干渉部材８０の他方の端部８０Ｂが不正器具Ｆと回転ローラ６３とにより挟まれた状態で、不正器具Ｆを引き抜こうとしても、メダル通路５７の隙間が塞がれているため、不正器具Ｆを引き抜くことが困難になる。これにより、不正器具Ｆを用いた不正行為の痕跡を残すことができる。
【００６５】
以上のように、第１実施形態の遊技機によれば、遊技時においてはメダル４７を円滑に投入することができるとともに、メダル４７の投入に関する不正行為を防止し、あるいは未然に抑制し、ひいては不正行為の痕跡を残すことができる。
【００６６】
なお、第１実施形態では、「回転ローラ６３」と「干渉部材８０」とが、本発明の『案内部材』に該当する。
【００６７】
［第２実施形態］
次に、本発明の第２実施形態に係る遊技機について、図面を参照して説明する。なお、第１実施形態の遊技機の構成と同一の構成には同符号を付し、その説明を適宜省略する。
【００６８】
図９乃至図１２に示すように、第２実施形態に係る遊技機は、メダル投入口２５に投入されたメダル４７をメダル検出センサ５６（図５参照）に案内する回転ローラ６３と、回転ローラ６３と遊技媒体通路との隙間を調整するための位置調整手段８１と、を有している。
【００６９】
上記した位置調整手段８１は、メダル投入口２５に投入されたメダル４７から回転ローラ６３に対して押圧力が作用したときに、回転ローラ６３とメダル通路５７との隙間を広げる方向への回転ローラ６３の移動を許容し、メダル通路５７に挿入された不正器具Ｆが引き抜かれるときに、回転ローラ６３の位置を固定して、回転ローラ６３とメダル通路５７との隙間を狭くする。
【００７０】
具体的には、位置調整手段８１は、回転ローラ６３の一部を覆うローラハウジング８３に形成され回転ローラ６３の回転軸６４が挿通される挿通孔部８２である。
【００７１】
挿通孔部８２は、回転ローラ６３が回転ローラ６３とメダル通路５７との隙間を広げる方向に移動するときに回転軸６４が進入するガイド孔８４と、ガイド孔８４に連続して形成されメダル通路５７に挿入された不正器具Ｆが引き抜かれるときに回転軸６４が進入して当該回転軸６４が位置決めされる位置決め孔８５と、で構成されている。
【００７２】
具体的には、ガイド孔８４は、長円状に形成されており、位置決め孔８５は、半円状に形成されている。なお、ガイド孔８４と位置決め孔８５は、連通している。
【００７３】
位置決め孔８５の径は、回転軸６４の径と同じかあるいは若干大きな径となるように設定されている。
【００７４】
次に、本発明の第２実施形態の遊技機の作用効果について説明する。
【００７５】
（メダル投入時）
メダル４７が回転ローラ６３に接触していない状態（ローラの初期状態（図１０に示す状態））では、回転ローラ６３の回転軸６４のガイド孔８４の下端に位置し、ローラ本体７５の外周面がメダル投入口２５から投入されたメダル４７に接触する。この状態において、メダル４７は、メダル投入口２５から投入されると、回転ローラ６３のローラ本体７５の外周面に当接（接触）する。このとき、メダル４７から回転ローラ６３に対して押圧力（回転ローラ６３の自重よりも大きな圧力）が作用して、回転ローラ６３は、回転軸６４回りを順方向に回転しながら、回転ローラ６３とメダル通路５７との隙間を広げる方向（図１０中矢印Ｘ方向）へ移動する。具体的には、回転ローラ６３の回転軸６４がガイド孔８４の中央側に移動して、メダル４７の進入が許容される。
【００７６】
一方、メダル４７が落下して回転ローラ６３との接触が解除されると、回転ローラ６３は、初期状態（図１０に示す状態）に戻る。すなわち、回転ローラ６３は、メダル４７から押圧力を受けないため、回転ローラ６３の自重の作用により、回転軸６４がガイド孔８４の下端側に移動する。このようにして、回転ローラ６３は、初期状態（図１０に示す状態）の位置に移動する。
【００７７】
（不正器具の挿入時）
図１１に示すように、不正器具Ｆがメダル通路５７に挿入されていくと、回転ローラ６３と接触する。このときも、メダル４７の投入時と同様にして、不正器具Ｆの表面がローラ本体７５の外周面に当接（接触）し、押圧する。このとき、不正器具Ｆから回転ローラ６３に対して押圧力（回転ローラ６３の自重よりも大きな圧力）が作用して、回転ローラ６３は、回転軸６４回りを順方向（図１１矢印Ａ方向）に回転しながら、回転ローラ６３とメダル通路５７との隙間を広げる方向（図１０中矢印Ｘ方向）へ移動する。そして、不正器具Ｆがメダル通路５７をさらに進入して、その先端部に取り付けられたメダルがメダル検出センサ５６により検出される。この結果、不正に遊技が開始される（不正遊技の開始）。
【００７８】
なお、図１１に示すように、不正遊技の継続中は、回転ローラ６３の回転軸６４がガイド孔８４の中央寄りに移動している。
【００７９】
（不正器具の引き抜き時）
図１２に示すように、不正遊技を終了するときに、不正器具Ｆを引き抜くと、不正器具Ｆがメダル通路５７を逆方向に移動していく。このとき、不正器具Ｆが回転ローラ６３のローラ本体７５の外周面に接触していると、不正器具Ｆの引き抜き動作に伴って、不正器具Ｆから回転ローラ６３に対して引き抜き方向（図１２中矢印Ｙ方向）に向う押圧力が作用する。不正器具Ｆから回転ローラ６３に対して引き抜き方向（本実施形態では上方向）に向う押圧力が作用すると、回転ローラ６３が逆方向（図１２中矢印Ｂ方向）に回転しながら、その回転軸６４が位置決め孔８５に進入する。
【００８０】
ここで、回転軸６４の径が位置決め孔８５の径と略同じ径であるため、回転軸６４が位置決め孔８５に進入すると、回転軸６４は位置決め孔８５によって位置決めされる。このため、回転ローラ６３は、メダル通路５７の隙間が狭くなる位置で位置決めされる。換言すれば、回転ローラ６３は、不正器具Ｆから離間していく方向（図１１中矢印Ｘ方向）に向って移動不可能な状態になっている。このとき、回転ローラ６３のローラ本体７５が不正器具Ｆを強い圧力で押圧した状態になっている。
【００８１】
不正行為者が不正器具Ｆの引き抜き動作を継続している状態では、常に、回転ローラ６３の回転軸６４が位置決め孔８５に進入して、回転ローラ６３が位置決めされている。このため、回転ローラ６３から不正器具Ｆに対して作用する押圧力によって、不正器具Ｆをそれ以上引き抜くことができなくなる。
【００８２】
以上のように、第２実施形態の遊技機によれば、遊技時においてはメダル４７を円滑に投入することができるとともに、メダル４７の投入に関する不正行為を防止し、あるいは未然に抑制し、ひいては不正行為の痕跡を残すことができる。
【００８３】
なお、第２実施形態では、「回転ローラ６３」と「位置調整手段８１」とが、本発明の『案内部材』に該当する。
【００８４】
［第３実施形態］
次に、本発明の第３実施形態に係る遊技機について、図面を参照して説明する。なお、第１実施形態の遊技機の構成と同一の構成には同符号を付し、その説明を適宜省略する。
【００８５】
図１３乃至図１６に示すように、第３実施形態に係る遊技機は、回転ローラ６３に替えて、シーソー部材８７を備えた態様である。シーソー部材８７は、回転軸６４に装着され前記回転軸の軸回りに回転する筒状の回転中心部８８と、回転中心部８８に設けられた第１片部８９と、回転中心部８８に設けられた第２片部９０と、を有している。
【００８６】
ここで、第２片部９０に、錘９１が取り付けられており、第２片部９０の質量が、第１片部８９の質量よりも大きく設定されている。そして、シーソー部材８７全体の重心位置は、第２片部９０上に位置するように構成されている。このため、メダル４７が投入されていない初期状態において、第２片部９０が下がり、第１片部８９が上がるようになる。その結果、初期状態において、シーソー部材８７の第１片部８９は、常に、メダル通路５７を閉塞している。
【００８７】
また、メダル投入口２５に投入されたメダル４７から第１片部８９に対して押圧力が作用したときに、シーソー部材８７が回転軸６４の軸回りに順方向に回転して第１片部８９が下がり、第２片部９０が上がる。これにより、第１片部８９は、メダル通路５７から退避する。第１片部８９がメダル通路５７から退避するとともに、メダル４７はメダル通路５７を落下し、メダル検出センサ５６に誘導される。メダル４７がメダル検出センサ５６で検出されることにより、遊技を開始することができる。
【００８８】
さらに、メダル４７が第１片部８９に対して接触していない状態では、第１片部８９にはメダル４７から押圧力が作用していない。この状態では、シーソー部材８７全体の重心位置が第２片部９０上に位置するように構成されているため、第２片部９０が下がり、第１片部８９が上がるようになる。その結果、シーソー部材８７の第１片部８９は、メダル通路５７を閉塞する。
【００８９】
次に、本発明の第３実施形態の遊技機の作用効果について説明する。
【００９０】
（メダル投入時）
メダル４７が接触していない状態（シーソー部材８７の初期状態（図１４の状態））では、上述した通り、シーソー部材８７の第１片部８９は、メダル通路５７を閉塞している。そして、メダル４７が投入されると、メダル４７が第１片部８９に接触して押圧する。これにより、シーソー部材８７が順方向に回転して、第１片部８９が下方に移動し、第２片部９０が上方に移動する。さらに、メダル４７がダル通路５７を流下し、メダル検出センサ５６で検出されると、遊技が開始される。
【００９１】
一方、メダル４７が落下してシーソー部材８７の第１片部８９との接触が解除されると、シーソー部材８７は、初期状態（図１４の状態）に戻る。すなわち、シーソー部材８７が逆方向に回転して、第１片部８９がメダル通路５７を閉塞するようになる。
【００９２】
（不正器具の挿入時）
図１５に示すように、不正器具Ｆがメダル通路５７に挿入されていくと、シーソー部材８７の第１片部８９と接触する。このときも、メダル４７の投入時と同様にして、不正器具Ｆの表面が第１片部８９に当接（接触）し、押圧する。このとき、不正器具Ｆから第１片部８９に対して押圧力（第２片部９０の自重よりも大きな圧力）が作用して、シーソー部材８７は、第１片部８９がメダル通路５７の隙間をあけるように、順方向（図１５中矢印Ａ方向）に回転する。そして、不正器具Ｆの先端部に取り付けられたメダルがメダル検出センサ５６により検出される。この結果、不正に遊技が開始される（不正遊技の開始）。
【００９３】
ここで、不正器具Ｆがメダル通路５７に挿入された状態では、第１片部８９が不正器具Ｆに対して当接している。
【００９４】
（不正器具の引き抜き時）
図１６に示すように、不正遊技を終了するときに、不正器具Ｆを引き抜くと、シーソー部材８７が逆方向（図１６中矢印Ｂ方向）に回転し、第１片部８９が上方に持ち上がる。そして、シーソー部材８７の第１片部８９は、メダル通路５７側に進入して不正器具Ｆに突き当たる。さらに、不正器具Ｆを引き抜こうとすればするほど、シーソー部材８７の第１片部８９が不正器具Ｆに対して強く押圧する。この結果、不正器具Ｆのそれ以上の引き抜きが不可能になる。
【００９５】
以上のように、第３実施形態の遊技機によれば、遊技時においてはメダル４７を円滑に投入することができるとともに、メダル４７の投入に関する不正行為を防止し、あるいは未然に抑制し、ひいては不正行為の痕跡を残すことができる。
【００９６】
なお、第３実施形態では、「シーソー部材」が、本発明の『案内部材』に該当する。
【００９７】
また、上記各実施形態では、機械的な構成により、本発明を実現したものであるが、電気的な構成を付加させて、本発明の完成度を上げてもよい。
【００９８】
（第１実施形態＋電気的構成要素）
第１実施形態では、回転ローラ６３が逆方向に回転しているときに異常と判断して、異常を報知させる構成が考えられる。
【００９９】
具体的には、図１７に示すように、回転ローラ６３の回転軸６４には、外周部に周方向に間隔を置いて複数の作用翼６６（遮光部または反射部）を有する回転体６７が固定される。また、その回転体６７の外周囲には、発光部と受光部とからなる透過式または反射式の２つのフォトインタラプタ６８、６９（光センサ６８、６９）が周方向に相前後して設けられている。そして、フォトインタラプタ６８、６９が回転体６７の作用翼６６を検出する順序により、回転ローラ６３の回転方向を判別する回転方向検出センサ７０が構成されている。
【０１００】
例えば、正規のメダル４７が通過することにより回転ローラ６３が順方向に回転した場合は、一緒に回転体６７も順方向（図１７で反時計方向）に回転し、その作用翼６６によりフォトインタラプタ６８、６９の光路がａ、ｂの順序で遮光される。このときフォトインタラプタ６８、６９から出力される検出パルス信号は、図１７（イ）に示すように、パルスａ、ｂの順序となる。
【０１０１】
ここで、不正行為として、メダル投入口２５から不正器具Ｆを挿入させてメダルセレクタ４３内のメダル検出センサ５６を不正に操作し、その後に不正器具Ｆをメダル投入口２５から引き出す行為を考えてみる。このような不正行為があった場合、異物を引き出す際に回転ローラ６３が不正器具Ｆとの接触摩擦力により回転する。このとき、回転ローラ６３の回転方向は、逆方向になる。反時計回りになる。このように、回転ローラ６３が逆方向に回転した場合、一緒に回転体６７も逆方向に回転し、その作用翼６６によりフォトインタラプタ６８、６９の光路がｂ、ａの順序で遮光される。したがってフォトインタラプタ６８、６９から出力される検出パルス信号は、図１７（ロ）に示すように、パルスｂ、ａの順序となる。
【０１０２】
図１８は、回転方向検出センサ７０から出力される検出パルス信号の順序に基づき、異常かどうかを判断する制御を示したものである。主制御装置は、回転ローラ６３の回転方向が順方向である間は（ステップＳ１０１：ＹＥＳ）、特に異常信号を発生せず、逆方向の回転が検出されたとき（ステップＳ１０１：ＮＯ）のみ異常である旨の報知信号を発生する（ステップＳ１０２）。
【０１０３】
（第２実施形態＋電気的構成要素）
第２実施形態では、回転ローラ６３の回転軸６４が位置決め孔８５に進入したことを検知したときに、異常と判断して、異常を報知させる構成が考えられる。
【０１０４】
具体的には、回転ローラ６３の回転軸６４が位置決め孔８５に進入したことを検知したことを検知する光センサ（図示省略）を設けたり、回転軸６４を金属部材にして、位置決め孔８５の端子に回転軸６４が接触して導通状態となったことを検知するための検知手段（図示省略）を設けてもよい。
【０１０５】
これにより、光センサから出力される検出パルス信号の有無、あるいはスイッチでの検知信号の有無に基づき、異常かどうかを判断することができる。主制御装置は、メダル４７を投入している場合には、回転ローラ６３の回転軸６４が位置決め孔８５に進入しないため、異常信号を発生しない。そして、不正器具Ｆが引き抜かれて、回転ローラ６３の回転軸６４が位置決め孔８５に進入したときに、光センサから出力される検出パルス信号、あるいは検知手段での検知信号に基づいて異常である旨の報知信号を発生する。
【０１０６】
（第３実施形態＋電気的構成要素）
第３実施形態では、シーソー部材８７の第１片部８９がメダル通路５７に設けた端子に対して所定の時間以上にわたって非接触となったときに、異常と判断して、異常を報知させる構成が考えられる。
【０１０７】
具体的には、第１片部８９が接触可能なメダル通路５７の一部に端子を設ける。また、第１片部８９を金属部材で構成する。そして、第１片部８９がメダル通路５７の端子に対して所定の時間以上にわたって非接触となったときに、異常と判断する検知手段（図示省略、タイマ内蔵のもの）を設ける。
【０１０８】
メダルが投入されて遊技（不正ではない遊技）が行われている場合には、シーソー部材８７の第１片部８９がメダル通路５７の端子に対して所定の時間以上にわたって非接触とならない。このとき、タイマでカウントされており、カウント値が所定時間未満である場合には、検知手段からの検知信号は出力されない。
【０１０９】
一方、不正器具Ｆがメダル通路５７に挿入されて不正遊技が行われている場合には、シーソー部材８７の第１片部８９がメダル通路５７の端子に対して所定の時間以上にわたって非接触になる。このとき、タイマでカウントされており、カウント値が所定時間以上である場合には、検知手段から検知信号が出力される。このとき、異常である旨の報知信号を発生して、異常を報知させる。
【符号の説明】
【０１１０】
２５    メダル投入口（遊技媒体投入口）
４７    メダル（遊技媒体）
５６    メダル検出センサ（遊技媒体検出センサ）
５７    メダル通路（遊技媒体通路）
６３    回転ローラ（案内部材）
６４    回転軸
８０    干渉部材（案内部材）
８２    挿通孔部（位置調整手段、案内部材）
８４    ガイド孔
８５    位置決め孔
８７    シーソー部材（案内部材）
８８    回転中心部
８９    第１片部
９０    第２片部
Ｆ      不正器具（不正部材）
【図１】
2012170653.tif 000003
【図２】
2012170653.tif 000004
【図３】
2012170653.tif 000005
【図４】
2012170653.tif 000006
【図５】
2012170653.tif 000007
【図６】
2012170653.tif 000008
【図７】
2012170653.tif 000009
【図８】
2012170653.tif 000010
【図９】
2012170653.tif 000011
【図１０】
2012170653.tif 000012
【図１１】
2012170653.tif 000013
【図１２】
2012170653.tif 000014
【図１３】
2012170653.tif 000015
【図１４】
2012170653.tif 000016
【図１５】
2012170653.tif 000017
【図１６】
2012170653.tif 000018
【図１７】
2012170653.tif 000019
【図１８】
2012170653.tif 000020
【図１９】
2012170653.tif 000021